(57)【特許請求の範囲】
【請求項１】
遊技客が獲得した遊技媒体と所定の景品との交換を管理する景品管理装置であって、
前記遊技媒体の計数値および前記計数値に対応付けられた交換レートを特定可能な情報を含んだ計数値情報が関連付けられた計数値記録媒体から前記計数値情報を取得する計数値情報取得手段と、
前記計数値情報取得手段によって複数の交換レートに対応する計数値情報が取得された場合、前記計数値情報取得手段によって取得された前記計数値を前記交換レートごとに集計するレート別情報集計手段と、
前記レート別情報集計手段により集計された交換レートごとの集計値を、集計値に対応付けられた交換レートを特定可能な態様で所定の表示部に一括して表示制御する表示制御手段と
を備えたことを特徴とする景品管理装置。
【請求項２】
前記レート別情報集計手段によって前記交換レートごとに集計された集計値が前記表示制御手段によって表示制御されたことを条件として、前記景品への交換処理を行う交換レートを個別に特定して交換処理の対象とすることを指示する交換対象レート特定手段
をさらに備えたことを特徴とする請求項１に記載の景品管理装置。
【請求項３】
前記レート別情報集計手段によって集計された前記集計値に基づいて交換される前記景品の明細を前記交換レートごとに区分けしたレート別明細画面を生成するレート別明細画面生成手段
をさらに備えたことを特徴とする請求項１または２に記載の景品管理装置。
【請求項４】
前記計数値情報取得手段は、遊技客が所持し、計数値情報が関連付けられた携帯端末から識別情報を読み取ったことを条件として、前記携帯端末に関連付けられた計数値情報を取得する機能を有し、
前記レート別情報集計手段は、前記計数値情報取得手段が取得した前記携帯端末に関連付けられた計数値情報について交換レートごとに集計するものである
ことを特徴とする請求項１〜３のいずれか一つに記載の景品管理装置。
【請求項５】
前記計数値情報取得手段は、遊技客が獲得し、遊技台ごとに設けられた遊技媒体計数手段にて計数された遊技媒体数が関連付けられ、前記遊技媒体計数手段にて発行された計数値記録媒体である各台計数記録媒体に記録された情報に基づいて計数値情報を取得する機能を有し、
前記レート別情報集計手段は、前記計数値情報取得手段が取得した前記各台計数記録媒体について交換レートごとに集計するものである
ことを特徴とする請求項１〜３のいずれか一つに記載の景品管理装置。
【請求項６】
遊技客が獲得した遊技媒体と所定の景品との交換を管理する景品管理装置に適用される景品管理方法であって、
前記遊技媒体の計数値および前記計数値に対応付けられた交換レートを特定可能な情報を含んだ計数値情報が関連付けられた計数値記録媒体から前記計数値情報を景品管理装置が取得する計数値情報取得工程と、
前記計数値情報取得工程によって複数の交換レートに対応する計数値情報が取得された場合、前記計数値情報取得工程によって取得された前記計数値を前記交換レートごとに景品管理装置が集計するレート別情報集計工程と、
前記レート別情報集計工程により集計された交換レートごとの集計値を、集計値に対応付けられた交換レートを特定可能な態様で所定の表示部に一括して表示制御する表示制御工程と
を含んだことを特徴とする景品管理方法。
【発明の詳細な説明】
【技術分野】
【０００１】
この発明は、遊技客が獲得した遊技媒体と所定の景品との交換を管理する景品管理装置に関し、特に、複数種類のレートの景品交換を行う場合であっても、迅速に景品交換処理を行うことができるとともに、従業員が行う景品交換の作業負荷を軽減することができる景品管理装置および景品管理方法に関する。
【背景技術】
【０００２】
従来から、パチンコ店などの遊技店の景品カウンタに設置される景品管理装置が知られている。景品管理装置は、遊技台において遊技客が獲得した遊技媒体の数に基づいて景品の交換処理を行う。
【０００３】
ここで、遊技店によって交換される「景品」には、日用品、食料品や装飾品などの「一般景品」のほか、遊技店とは独立した景品買取場での買取りを前提とした「特殊景品」が存在する。
【０００４】
また、近年では、遊技店内で複数種類のレートで遊技媒体の貸出を行っているが、複数の貸出レートに対応した景品管理装置が普及してきている。
【０００５】
たとえば、特許文献１には、複数種類のレートが混在する計数値記録媒体を受け付けると、特定のレートに統一して計数値を換算し、換算値を集計した集計値によって景品交換を行う景品管理装置が開示されている。
【０００６】
また、特許文献２には、複数種類のレートが混在する計数値記録媒体を受け付けると、まず、最初に受け付けたレートである計数値のみを景品交換の対象とし、かかるレートの計数値を集計し、集計値によって景品交換を行う景品管理装置が開示されている。
【０００７】
そして、特許文献２の景品管理装置は、上述した処理を繰り返すことによって、レートごとに景品交換を行うことができる。なお、上記した「計数値記録媒体」としては、紙レシート（紙媒体）、ＩＣカード、磁気カード等の任意の記録媒体を用いることができる。
【先行技術文献】
【特許文献】
【０００８】
【特許文献１】特開２００９−１７２２４１号公報
【特許文献２】特開２００９−０９５３８３号公報
【発明の概要】
【発明が解決しようとする課題】
【０００９】
しかしながら、特許文献１の景品管理装置は、複数種類のレートを特定のレートに換算した換算値によって景品交換を行う結果、レートが統一されてしまうため、遊技客に対して景品交換の状況を把握させることが困難であるという問題があった。また、特殊景品への交換については、レートによって交換率が異なるため、レートごとに異なる特殊景品と交換する必要がある場合があり、合算方式が採用できないことがある。
【００１０】
また、特許文献２の景品管理装置は、レートごとの景品交換を直列的に実行していくので、現在、どのレートの景品交換を実行しているのかを遊技客に把握させることが困難であるという問題があった。
【００１１】
具体的には、特許文献２の景品管理装置は、４円レートおよび１円レートが混在する紙レシートを受け付けると、最初に受け付けたレートが４円レートであった場合、４円レートの景品交換を行う。そして、特許文献２の景品管理装置は、従業員側に向いている表示部や遊技客側に向いている表示部に景品交換の明細を表示するとともに、１円レートは景品交換の対象外である旨を表示する。
【００１２】
そして、特許文献２の景品管理装置は、４円レートの景品交換後に１円レートの景品交換が行われた場合、最初に表示されていた４円レートの交換明細は、１円レートの交換明細を表示するためにスクロールされる、または、１円レートの交換明細の表示に更新されてしまい、４円レートの交換明細を遊技客が確認できない場合がある。
【００１３】
特に、一般景品へ交換する場合、前回（４円レート）の交換結果と比較しながら、今回（１円レート）の交換景品を選択したいという遊技客のニーズが発生すると想定される。場合によっては、前回（４円レート）の交換景品を変更したいと思いつく遊技客がいるかもしれない。
【００１４】
そして、先に景品交換が行われた４円レートの景品のキャンセル指示を遊技客が行う場合や、従業員がキャンセル操作を行う場合には、４円レートの交換処理は完了しているため、キャンセル指示やキャンセル操作を行いにくいという問題もあった。このため、景品交換処理を迅速に行うことが困難となっていた。
【００１５】
これらのことから、複数種類のレートの景品交換を行う場合であっても、迅速に景品交換処理を行うことができるとともに、従業員が行う景品交換の作業負荷を軽減することができる景品管理装置および景品管理方法をいかにして実現するかが大きな課題となっている。
【００１６】
本発明は、上述した従来技術による問題点を解消するためになされたものであって、複数種類のレートの景品交換を行う場合であっても、迅速に景品交換処理を行うことができるとともに、従業員が行う景品交換の作業負荷を軽減することができる景品管理装置および景品管理方法を提供することを目的とする。
【課題を解決するための手段】
【００１７】
上述した課題を解決し、目的を達成するため、本発明は、遊技客が獲得した遊技媒体と所定の景品との交換を管理する景品管理装置であって、前記遊技媒体の計数値および前記計数値に対応付けられた交換レートを特定可能な情報を含んだ計数値情報が関連付けられた計数値記録媒体から前記計数値情報を取得する計数値情報取得手段と、前記計数値情報取得手段によって複数の交換レートに対応する計数値情報が取得された場合、前記計数値情報取得手段によって取得された前記計数値を前記交換レートごとに集計するレート別情報集計手段と、前記レート別情報集計手段により集計された交換レートごとの集計値を、集計値に対応付けられた交換レートを特定可能な態様で所定の表示部に一括して表示制御する表示制御手段とを備えたことを特徴とする。
【００１８】
また、本発明は、上記の発明において、前記レート別情報集計手段によって前記交換レートごとに集計された集計値が前記表示制御手段によって表示制御されたことを条件として、前記景品への交換処理を行う交換レートを個別に特定して交換処理の対象とすることを指示する交換対象レート特定手段をさらに備えたことを特徴とする。
【００１９】
また、本発明は、上記の発明において、前記レート別情報集計手段によって集計された前記集計値に基づいて交換される前記景品の明細を前記交換レートごとに区分けしたレート別明細画面を生成するレート別明細画面生成手段をさらに備えたことを特徴とする。
【００２０】
また、本発明は、上記の発明において、前記計数値情報取得手段は、遊技客が所持し、計数値情報が関連付けられた携帯端末から識別情報を読み取ったことを条件として、前記携帯端末に関連付けられた計数値情報を取得する機能を有し、前記レート別情報集計手段は、前記計数値情報取得手段が取得した前記携帯端末に関連付けられた計数値情報について交換レートごとに集計するものであることを特徴とする。
また、本発明は、上記の発明において、前記計数値情報取得手段は、遊技客が獲得し、遊技台ごとに設けられた遊技媒体計数手段にて計数された遊技媒体数が関連付けられ、前記遊技媒体計数手段にて発行された計数値記録媒体である各台計数記録媒体に記録された情報に基づいて計数値情報を取得する機能を有し、前記レート別情報集計手段は、前記計数値情報取得手段が取得した前記各台計数記録媒体について交換レートごとに集計するものであることを特徴とする。
【００２１】
また、本発明は、遊技客が獲得した遊技媒体と所定の景品との交換を管理する景品管理装置に適用される景品管理方法であって、前記遊技媒体の計数値および前記計数値に対応付けられた交換レートを特定可能な情報を含んだ計数値情報が関連付けられた計数値記録媒体から前記計数値情報を景品管理装置が取得する計数値情報取得工程と、前記計数値情報取得工程によって複数の交換レートに対応する計数値情報が取得された場合、前記計数値情報取得工程によって取得された前記計数値を前記交換レートごとに景品管理装置が集計するレート別情報集計工程と、前記レート別情報集計工程により集計された交換レートごとの集計値を、集計値に対応付けられた交換レートを特定可能な態様で所定の表示部に一括して表示制御する表示制御工程とを含んだことを特徴とする。
【発明の効果】
【００２２】
本発明によれば、遊技媒体の計数値および計数値に対応付けられた交換レートを特定可能な情報を含んだ計数値情報が関連付けられた計数値記録媒体から計数値情報を景品管理装置が取得し、複数の交換レートに対応する計数値情報が取得された場合、取得された計数値を交換レートごとに景品管理装置が集計し、集計された交換レートごとの集計値を、集計値に対応付けられた交換レートを特定可能な態様で所定の表示部に一括して表示制御することとしたので、複数種類のレートの景品交換を行う場合であっても、迅速に景品交換処理を行うことができるとともに、従業員が行う景品交換の作業負荷を軽減することができるという効果を奏する。
【図面の簡単な説明】
【００２６】
【図１】図１は、本発明に係る景品管理手法の概要を示す図である。
【図２】図２は、本実施例に係る景品管理装置の構成を示すブロック図である。
【図３】図３は、本実施例に係る景品管理装置の外観図である。
【図４】図４は、計数値情報の一例を示す図である。
【図５】図５は、レート別情報の一例を示す図である。
【図６】図６は、レート別明細画面表示の一例を示す図である。
【図７】図７は、景品交換情報の一例を示す図である。
【図８】図８は、レート別景品交換明細表示の一例を示す図である。
【図９】図９は、景品管理装置が実行する景品管理処理手順を示すフローチャートである。
【図１０】図１０は、景品管理装置が実行する景品交換処理手順を示すフローチャートである。
【発明を実施するための形態】
【実施例】
【００２７】
以下に添付図面を参照して、本発明に係る景品管理装置および景品管理方法の実施例を詳細に説明する。なお、以下では、遊技客が獲得した遊技媒体の計数値が関連付けられた紙レシート（以下、単に「レシート」と記載する）を読取り、読取った計数値に基づいて景品交換を行う景品管理装置について説明することとする。なお、レシートには、「発行日時」、「交換レート」、遊技客が獲得した遊技媒体を計数する計数機の識別子である「計数機の号機」、「計数値」、および、計数機ごとに連番に付与される「レシート番号」が目視可能に文字印字されているとともに機械読取可能にバーコードが印字されている。そして、景品管理装置は、レシートに印字されているバーコードを読取ることによって、上記の項目を取得する。
【００２８】
まず、実施例の詳細な説明に先立って、本発明に係る景品管理手法の概要について図１を用いて説明する。図１は、本発明に係る景品管理手法の概要を示す図である。以下では、まず、同図の（Ａ）を用いて従来の景品管理手法の概要を説明し、同図の（Ｂ）を用いて本発明に係る景品管理手法の概要を説明する。
【００２９】
まず、図１の（Ａ）に示したように、従来の景品管理手法では、計数値およびレートが関連付けられた複数枚のレシートを順次読取る（図１（Ａ−１）参照）。ここで、同図に示すように、複数枚のレシートには、複数種類のレートが混在しているものとする。
【００３０】
この場合、従来の景品管理手法では、最初に読取ったレシートのレートと同一のレシートについて計数値を集計する（図１（Ａ−２）参照）。すなわち、同図に示した場合では、１枚目のレシートが４円レートであるので、１枚目と４枚目とのレシートの計数値を集計することとなる。
【００３１】
そして、従来の景品管理手法は、４円レートの集計値（２１５０個）に相当する景品の交換処理を行う（図１（Ａ−３）参照）。その後、次の景品交換処理では、２円レートであるレシートの計数値を集計し（図１（Ａ−４）参照）、２円レートの集計値（４０００個＋５００個＝４５００個）に相当する景品を交換する処理を行う（図１（Ａ−５）参照）。
【００３２】
このように、従来の景品管理手法では、一つのレートの集計および景品交換処理が終了してから、順次別のレートの集計および景品交換処理を行っていたので、従業員の操作が煩雑となり、従業員の作業負荷が大きなものとなっていた。また、遊技客に対して、どのレートの景品交換を行っているかといった交換状況を把握させることが困難であった。
【００３３】
そこで、本発明に係る景品管理手法では、図１の（Ｂ）に示したように、計数値およびレートが関連付けられた複数枚のレシートを読取ったならば（図１（Ｂ−１）参照）、読取ったレシートの計数値の集計を、レートごとに並行して行うこととした。
【００３４】
具体的には、１枚目のレシート（４円レシート）を読取った際には、４円レートの集計処理を行い（図１（Ｂ−２）参照）、つづいて、２枚目（２円レシート）および３枚目（２円レシート）のレシートを読取った際には、２円レートの集計処理を行う（図１（Ｂ−２）’参照）。さらに、４枚目のレシート（４円レシート）を読取った際には、再び４円レートの集計処理を行う（図１（Ｂ−２）参照）。
【００３５】
そして、レートごとに集計された集計値に基づいて複数種類のレートに対応する景品交換を並行して行う（図１（Ｂ−３）参照）。このように、本発明に係る景品管理手法では、レシートの計数値の集計をレートごとに並行して行い、複数種類のレートに対応する景品交換を並行して行うこととした。
【００３６】
したがって、複数種類のレートの景品交換を行う場合であっても、迅速に景品交換処理を行うことができるとともに、従業員が行う景品交換の作業負荷を軽減することができる。なお、本発明に係る景品管理手法では、レートごとに生成した景品交換画面を同時に表示させる処理を行うが、この点については、図６等を用いて後述することとする。
【００３７】
以下では、図１を用いて説明した景品管理手法を適用した景品管理装置についての実施例を詳細に説明する。まず、本実施例に係る景品管理装置１０の構成について図２を用いて説明する。図２は、本実施例に係る景品管理装置１０の構成を示すブロック図である。なお、図２では、景品管理装置１０の特徴点を説明するために必要な構成要素のみを抜粋して示している。
【００３８】
図２に示すように、景品管理装置１０は、レシート読取部１１と、表示部１２と、操作部１３と、記憶部１４と、制御部１５とを備えている。また、記憶部１４は、計数値情報１４ａと、レート別情報１４ｂと、景品交換情報１４ｃとを記憶し、制御部１５は、計数値情報取得部１５ａと、レート別情報集計部１５ｂと、レート別明細生成部１５ｃと、景品交換部１５ｄと、景品交換情報登録部１５ｅとをさらに備えている。
【００３９】
ここで、景品管理装置１０の概要構成を説明するために、図３を用いて景品管理装置１０の外観について説明しておく。図３は、本実施例に係る景品管理装置１０の外観図である。なお、同図には景品管理装置１０の特徴を説明するために必要な構成要素のみを示しており、一般的な構成要素についての記載を省略している。また、図示しないが、景品管理装置１０からの指示に基づいて特殊景品を払出す景品払出機が接続される。
【００４０】
図３に示すように、遊技店の景品カウンタに設置される景品管理装置１０は、レシートに記載されている交換レートおよび計数値を読取るレシート読取部１１と、ディスプレイなどの表示部１２と、テンキー、景品交換ボタンおよび景品払出ボタンといった操作部１３とを備えている。また、表示部１２は、店側表示部１２ａと客側表示部１２ｂとを備えている。
【００４１】
景品管理装置１０は、遊技客が持ち込んだ複数種類の交換レートが混在するレシートを受け付けると、従業員がレシートをバーコードリーダなどのレシート読取部１１にかざすことによって、交換レートおよび計数値（以下、「計数値情報」と記載する）を読取る。
【００４２】
そして、景品管理装置１０は、レートごとに計数値を集計し、集計されたレート別の明細を店側表示部１２ａおよび客側表示部１２ｂに表示する。ここで、店側表示部１２ａは、対面式になっている景品カウンタの従業員側に表示される表示部１２である。
【００４３】
一方、客側表示部１２ｂは、遊技客側に表示される表示部１２である。なお、客側表示部１２ｂは、景品管理装置１０の本体とケーブルなどによって接続されていることとしたが、店側表示部１２ａの背面側に併設される等、景品管理装置１０と一体化した装置として構成することとしてもよい。
【００４４】
このように、店側表示部１２ａおよび客側表示部１２ｂに表示されたレート別の明細に基づいて従業員が操作部１３から景品交換の操作を行うことで、遊技客が求める景品に交換する処理が行われることとなる。
【００４５】
図２の説明に戻り、景品管理装置１０の構成について説明する。レシート読取部１１は、レシートに記載されている計数値情報を読取る。たとえば、レシートに計数値情報を示すバーコードが印字されている場合は、レシート読取部１１は、バーコードを読取り、読取った情報を計数値情報取得部１５ａへ出力する。
【００４６】
表示部１２は、店側表示部１２ａおよび客側表示部１２ｂで構成され、レート別明細生成部１５ｃによって生成されたレート別の明細画面を表示する。また、表示部１２は、景品交換の状況をレート別に表示する。
【００４７】
操作部１３は、テンキー、一般景品への交換を指示する複数の景品交換ボタン、特殊景品への交換を指示する特殊景品交換ボタンおよび交換処理の実行（完了）を指示する景品払出ボタンなどを備え、レート別の明細に基づいて特殊景品の払出を行い、さらに、遊技客が求める景品の交換処理の操作を受け付ける。なお、本実施例では、操作部１３が備える各ボタンによって景品交換の処理操作を受け付けることとしたが、タッチパネル式の表示部１２に表示されるボタンによって従業員が景品の払出の操作を行ったり、遊技客が景品の選択操作を行ったりすることとしてもよい。
【００４８】
記憶部１４は、不揮発性メモリやハードディスクドライブといった記憶デバイスであり、計数値情報１４ａ、レート別情報１４ｂおよび景品交換情報１４ｃを記憶する。計数値情報１４ａは、レシート読取部１１で読取った交換レートおよび計数値である。
【００４９】
レート別情報１４ｂは、レート別情報集計部１５ｂによって計数値情報１４ａの計数値をレートごとに集計した集計値である。景品交換情報１４ｃは、交換する景品名、景品の１個当たりの交換数および景品個数であり、レート別に登録される。なお、計数値情報１４ａ、レート別情報１４ｂおよび景品交換情報１４ｃの詳細な説明については後述することとする。
【００５０】
制御部１５は、景品管理装置１０の全体制御を行う制御部である。計数値情報取得部１５ａは、レシート読取部１１で読取った交換レートおよび計数値を取得する処理を行う処理部である。また、計数値情報取得部１５ａは、取得した交換レートおよび計数値を計数値情報１４ａとして記憶部１４へ記憶させる処理を併せて行う。
【００５１】
レート別情報集計部１５ｂは、一つの取引に対して、計数値情報１４ａの計数値をレートごとに並行して集計する処理を行う処理部である。また、レート別情報集計部１５ｂは、レートごとに並行して集計した集計値をレート別情報として記憶部１４へ記憶させる処理を併せて行う。ここで、「一つの取引」とは、複数枚のレシートを読取る際、最初のレシートが読取られてから最後のレシートが読取られるまでのことを指す。
【００５２】
レート別明細生成部１５ｃは、一つの取引に対するレートごとに集計された集計値を含むレート別明細画面を生成し、表示部１２へ表示させる処理を行う処理部である。
【００５３】
景品交換部１５ｄは、遊技客が特殊景品への交換を希望する場合には、特殊景品交換ボタンが押下によって、レート別に集計値に応じた特殊景品の交換数に景品個数を乗じた値の合計をレート別情報１４ｂの集計値から減算する処理を行う処理部である。
【００５４】
ここで、本実施例では、特殊景品交換ボタンが押下された場合、各レートにそれぞれ対する特殊景品の交換を一度に行うものとする。しかし、所定のレートを選択してから特殊景品交換ボタンを押下することによって、特定のレートに対応する特殊景品の交換を行うこととしてもよい。
【００５５】
また、景品交換部１５ｄは、遊技客が求める一般景品に対応する景品交換ボタンが押下された場合には、かかる一般景品の交換数に景品個数を乗じた値をレート別情報１４ｂの集計値から減算する処理を併せて行う。なお、景品個数は景品交換ボタンの押下回数によって入力されたり、テンキーを使って別途入力される。また、本実施例では、指定された一般景品に対応する景品交換ボタンを押下することとしたが、一般景品の一覧等から所定の景品を選択し、景品交換ボタンを押下することとしてもよい。
【００５６】
また、景品交換部１５ｄは、交換する景品名、景品の１個当たりの交換数、景品個数および集計値の残数等の情報をレート別に表示部１２へ通知する処理を併せて行う。
【００５７】
その後、景品管理装置１０は、景品払出ボタンが押下されることによって、一つの取引に対して景品の払出処理を行う。具体的には、特殊景品の場合は、景品交換部１５ｄは、レート別に集計値に応じた特殊景品の払出を図示しない景品払出機に指示し、払出す特殊景品の交換数に景品個数を乗じた値の合計をレート別情報１４ｂの集計値から減算する。その後、景品払出機は、景品交換部１５ｄから受け付けた特殊景品の払出の指示に従って、特殊景品の払出を行うこととなる。また、一般景品の場合は、従業員による手作業で、景品交換の対象となっている一般景品を遊技客へ渡すこととなる。
【００５８】
景品交換情報登録部１５ｅは、取引および交換レートに対応付けて景品交換部１５ｄによって交換が行われる景品名などの景品に関する情報を景品交換情報１４ｃとして記憶部１４へ記憶させる処理を行う処理部である。
【００５９】
つぎに、記憶部１４に記憶される計数値情報１４ａ、レート別情報１４ｂおよび景品交換情報１４ｃの一例について図４〜８を用いて説明する。まず、図４は、計数値情報１４ａの一例を示す図である。同図に示すように、計数値情報１４ａは、「取引番号」項目と、「レシート番号」項目と、「レート」項目と、「計数値」項目とを含んでいる。
【００６０】
「取引番号」項目は、一つの取引を識別するための番号である。なお、本実施例では、「取引番号」項目には取引を識別するための番号が記憶されていることとしたが、文字や数字の組み合わせからなる文字列であってもよい。
【００６１】
「レシート番号」項目は、計数値およびレートが関連付けられたレシートを一意に識別するための番号である。なお、本実施例では、「レシート番号」項目にはレシートを一意に識別するための番号が記憶されていることとしたが、文字や数字の組み合わせからなる文字列であってもよい。
【００６２】
「レート」項目は、計数されたパチンコ玉の貸出時の交換レートである。また、「計数値」項目は、遊技店に併設される計数機によって遊技客が獲得したパチンコ玉が計数された計数値である。
【００６３】
つづいて、記憶部１４に記憶されるレート別情報１４ｂの一例について図５を用いて説明する。なお、以下では、レート別情報１４ｂの説明を、既に説明した図５およびレート別明細画面の表示例を示した図６を用いつつ説明することとする。図５は、レート別情報の一例を示す図である。また、図６は、レート別明細画面表示の一例を示す図である。
【００６４】
図５に示すように、レート別情報１４ｂは、「取引番号」項目と、「レート」項目と、「集計値」項目とを含んでいる。「取引番号」項目は、一つの取引を識別するための番号である。
【００６５】
「レート」項目は、計数されたパチンコ玉の貸出時の交換レートである。「集計値」項目は、一つの取引に対して計数値情報１４ａの計数値をレートごとに集計した集計値である。
【００６６】
ここで、景品管理装置１０が、一つの取引でレシート番号が「１」、「２」、「３」および「４」である４枚のレシートを順次読取った場合について、計数値情報１４ａとレート別情報１４ｂとの関連を具体的に説明する。
【００６７】
この場合、１枚目のレシートであるレシート番号が「１」のレシートを読取った際に、計数値情報１４ａには「取引番号：００１、レシート番号：１、レート：４円、計数値１５００個」が記憶される（図４の１行目参照）。また、レート別情報１４ｂには、まず「取引番号：００１、レート：４円、集計値１５００個」が記憶され、表示部１２は、まず、４円レートのレート別の明細画面を表示する（図６の（Ａ）参照）。
【００６８】
そして、２枚目のレシートであるレシート番号が「２」のレシートを読取った際に、計数値情報１４ａには「取引番号：００１、レシート番号：２、レート：２円、計数値４０００個」が記憶される（図４の２行目参照）。
【００６９】
ここで、１枚目と２枚目のレシートのレートは異なることから、レート別情報１４ｂには、新規に「取引番号：００１、レート：２円、集計値４０００個」が記憶され、表示部１２は、先に表示した４円レートのレート別の明細画面とともに、２円レートのレート別の明細画面を表示する（図６の（Ｂ）参照）。
【００７０】
そして、３枚目のレシートであるレシート番号が「３」のレシートを読取った際に、計数値情報１４ａには「取引番号：００１、レシート番号：３、レート：２円、計数値５００個」が記憶される（図４の３行目参照）。
【００７１】
ここでは、２枚目と３枚目のレシートのレートは「２円」であることから、先に記憶されたレートが「２円」であるレート別情報１４ｂの集計値に、３枚目のレシートの計数値を加算して集計された集計値が４５００個（４０００個＋５００個）に更新され（図５の２行目参照）、表示部１２は２円レートのレート別の明細画面を更新する。
【００７２】
４枚目のレシートの際にも同様に、「４円」の計数値を集計し、レート別情報１４ｂの集計値が２１５０個（１５００個＋６５０個）に更新されるとともに（図５の１行目参照）、表示部１２は４円レートのレート別の明細画面を更新する。
【００７３】
また、図６の（Ｂ）に示した状態で、レシート読取部１１で、さらに１円レートのレシートを読取ったならば、表示部１２は１円レートのレート別の明細画面を新たに表示することとなる（図６の（Ｃ）参照）。ここで、レシート読取部１１で読取られた所定のレシートに対して、図示しないキャンセルボタンを押下することによって所定のレシートに対するレートごとの集計処理のキャンセルを行うことができる。
【００７４】
なお、表示部１２に表示されるレート別の明細画面のサイズや配置規則を含んだレイアウト情報を、予め記憶部１４に記憶させておき、記憶部１４から読み込んだレイアウト情報に基づいて各明細画面を表示させることとしてもよい。また、かかるレイアウト情報は、従業員によって設定変更が可能とすることとしてもよい。
【００７５】
このように、景品管理装置１０は、一つの取引で読取る複数枚のレシートを順次読取り、計数値情報１４ａに記憶し、レシートを読取る際に、計数値の集計をレートごとに並行して行い集計値をレート別情報１４ｂに記憶することとした。
【００７６】
そして、表示部１２は、レート別に画面を分割して表示する。このように、レート別の明細を同時に表示することによって、遊技客に景品交換の状況を把握させることができるとともに、迅速に景品交換処理を行うことができる。
【００７７】
なお、本実施例では、表示部１２は、複数のレート別の明細画面を分割して表示することとしたが、レートが増えることによって画面が細分され、１つのレートの明細画面が小さくなってしまい、遊技客に見えにくくなってしまう場合がある。
【００７８】
そこで、図６の（Ｄ）に示すように、複数の明細画面を重ねて表示することとしてもよい。この場合、各レートの明細画面を縮小することなく表示することができ、遊技客に容易に景品交換の状況を把握させることができる。この場合、最前に表示する明細画面を、従業員や遊技客の操作によって切り替えられるものとする。また、図６の（Ｅ）に示すように、複数の明細画面を重ねて表示し、明細画面上部にレートが記載されたタブを備えるようにしてもよい。そして、所定レートのタブが押下されることによって、所定レートの明細画面を最前に表示するよう、表示画面の切り替えを行うこととしてもよい。
【００７９】
つぎに、記憶部１４に記憶される景品交換情報１４ｃの一例について図７を用いて説明する。なお、以下では、景品交換情報１４ｃの説明を、既に説明した図７およびレート別景品交換明細の表示例を示した図８を用いつつ説明することとする。図７は、景品交換情報１４ｃの一例を示す図である。また、図８は、レート別景品交換明細表示の一例を示す図である。
【００８０】
図７に示すように、景品交換情報１４ｃは、「取引番号」項目と、「レート」項目と、「景品名」項目と、「交換数／個」項目と、「個数」項目とを含んでいる。
【００８１】
「取引番号」項目は、一つの取引を識別するための番号である。「レート」項目は、景品交換を行う際のレート、すなわち、計数されたパチンコ玉の貸出時の交換レートである。
【００８２】
「景品名」項目は、景品交換ボタン、または、特殊景品交換ボタンを押下することによって指定された景品名、すなわち、景品交換の対象となる景品名である。「交換数／個」項目は、景品名に対応する１個当たりの交換数である。「個数」項目は、交換対象となる景品の景品個数である。このように、景品交換情報１４ｃには、交換を行う景品の内訳が記憶されることとなる。
【００８３】
また、図８に示すように、一つの取引で受け付けるレシートに、４円レートおよび２円レートの複数種類の交換レートが混在する場合、表示部１２は、レート別に画面を分割して表示する。
【００８４】
さらに、表示部１２は、各レートの画面下部域に、操作ボタンを表示する。なお、操作ボタンは、「レート別確定」ボタン、「全部確定」ボタン、「レート別取消（全部）」ボタンおよび「レート別取消（一部）」ボタンで構成される。
【００８５】
「レート別確定」ボタンが押下されると、景品管理装置１０は、対象レートの景品交換処理を確定して実行する。「全部確定」ボタンが押下されると、景品管理装置１０は、全てのレートの景品交換処理を確定して実行する。
【００８６】
「レート別取消（全部）」ボタンが押下されると、景品管理装置１０は、対象レートの景品選択を全て取り消す。その後、遊技客によって対象レートの景品の選択操作が再度行われることとなる。
【００８７】
「レート別取消（一部）」ボタンが押下されると、景品管理装置１０は、対象レートの景品選択の一部を指定して取り消す。これにより、遊技客は表示レートの景品の変更を行うことができる。なお、操作部１３にも、上述した機能を有する各ボタンが設置される。
【００８８】
そして、表示部１２は、それぞれのレートに対応付けられた集計値、交換を行う景品の内訳および残数等の最新の情報を表示し、特殊景品については、景品個数を全レート分合算した合計値を表示することとしてもよい。
【００８９】
たとえば、特殊景品の場合は、図５のレート別情報１４ｂを例に、レートが「４円」の集計値が「２１５０個」であり、レートが「２円」の集計値が「４５００個」であった場合の景品交換情報１４ｃについて説明する。
【００９０】
この場合、まず、景品交換部１５ｄは、特殊景品交換ボタンが押下されたことによって４円レートで交換する特殊景品大１個と特殊景品中２個を景品交換の対象とし、景品交換情報登録部１５ｅは、かかる特殊景品に対応する景品交換情報１４ｃを記憶する（図７の１、２行目参照）。
【００９１】
さらに、景品交換部１５ｄは、２円レートで交換する特殊景品大１個と特殊景品中２個と特殊景品小１個とを景品交換の対象とし、景品交換情報登録部１５ｅは、かかる特殊景品に対応する景品交換情報１４ｃを記憶する（図７の４〜６行目参照）。そして、図８に示すように、表示部１２は各レートの景品交換情報１４ｃおよび残数を表示する。
【００９２】
その後、従業員により４円レートのライターに対応する景品交換ボタンが押下されると、景品交換情報登録部１５ｅは、ライター１個を景品交換の対象に追加する（図７の３行目参照）。両方のレートに残数がある場合は、交換対象とするレートを選択した上で、景品交換ボタンを押下すればよい。このとき、選択されたレートの表示画面の色が変わり、交換対象であることが明示される。
【００９３】
そして、図８に示すように、表示部１２は４円レートのレート別景品交換明細にライターを追加し、再算出された残数を含めた最新の情報を表示することとなる。また、表示部１２は図８の上部に示すように、４円および２円の特殊景品の景品個数の合計値を表示する。ただし、４円レートと２円レートとで交換率が異なり、４円レート用の特殊景品と２円レート用の特殊景品とが別物となる場合は、合計値の表示は行わないものとする。
【００９４】
このようにして、景品管理装置１０では、残数が端数になるまで、すなわち、残数が遊技店内に備える景品の最低交換数より少なくなるまで景品交換を繰り返すことになる。なお、景品管理装置１０は、端数については切り捨てるものとする。
【００９５】
つぎに、上記した景品管理装置１０が実行する処理手順について図９〜図１０を用いて説明する。なお、図９では景品管理処理手順について、図１０では景品交換処理手順について、それぞれ説明する。
【００９６】
図９は、景品管理装置１０が実行する景品管理処理手順を示すフローチャートである。同図に示すように、遊技客が持ち込んだ複数種類の交換レートが混在するレシートを受け付けると、従業員がレシートをレシート読取部１１にかざすことによって、レシート読取部１１はレシートに記載されている計数値情報を読取る（ステップＳ１０１）。
【００９７】
計数値情報取得部１５ａは読取った計数値情報から交換レートを取得する（ステップＳ１０２）。そして、レート別情報集計部１５ｂは取得レートの画面が表示されているか否かを判定する（ステップＳ１０３）。
【００９８】
取得レートの画面が既に表示されていると判定された場合（ステップＳ１０３，Ｙｅｓ）、レート別情報集計部１５ｂは取得レートに対応するレート別情報１４ｂにステップＳ１０１で読取った計数値情報の計数値を加算する（ステップＳ１０４）。
【００９９】
そして、レート別明細生成部１５ｃは取得レートのレート別明細画面を更新するとともに、表示部１２はレート別明細生成部１５ｃが更新したレート別明細画面を再表示する（ステップＳ１０５）。
【０１００】
一方、取得レートの画面が表示されていないと判定された場合（ステップＳ１０３，Ｎｏ）、レート別情報集計部１５ｂは取得レートに対応付けてステップＳ１０１で読取った計数値情報の計数値をレート別情報１４ｂに登録する（ステップＳ１０６）。
【０１０１】
そして、レート別明細生成部１５ｃは取得レートのレート別明細画面を生成するとともに、表示部１２はレート別明細生成部１５ｃが生成したレート別明細画面を表示する（ステップＳ１０７）。
【０１０２】
その後、遊技客が持ち込んだレシートのうち未処理のレシートがあるか否かを判定する（ステップＳ１０８）。そして、未処理レシートがあると判定された場合（ステップＳ１０８，Ｙｅｓ）、未処理レシートがなくなるまでステップＳ１０１〜ステップＳ１０８までの処理を繰り返す。
【０１０３】
一方、未処理レシートがなくなったと判定された場合（ステップＳ１０８，Ｎｏ）、景品管理装置１０は景品交換処理を行い（ステップＳ１０９）、処理を終了する。つづいて、図９のステップＳ１０９に示した景品交換処理の詳細な処理手順について図１０を用いて説明する。
【０１０４】
図１０は、景品管理装置１０が実行する景品交換処理手順を示すフローチャートである。同図に示すように、景品管理装置１０は特殊景品交換ボタンが押下されたか否かを判定する（ステップＳ２０１）。
【０１０５】
そして、景品交換部１５ｄは特殊景品交換ボタンが押下された場合、特殊景品の交換処理の指示を受け付けたと判定し（ステップＳ２０１，Ｙｅｓ）、レート別の集計値に応じて全レートの特殊景品の景品個数を決定する（ステップＳ２０２）。
【０１０６】
つづいて、景品交換部１５ｄはレート別に特殊景品の交換数に景品個数を乗じた値の合計をレート別情報１４ｂの集計値から減算し、残数の算出を行い（ステップＳ２０３）、景品交換情報登録部１５ｅは景品個数を決定した特殊景品に対応する景品交換情報１４ｃを登録する（ステップＳ２０４）。そして、表示部１２は特殊景品の交換を行ったレートの明細画面を更新し（ステップＳ２０５）、ステップＳ２１１へ処理を移行する。
【０１０７】
一方、景品交換部１５ｄは特殊景品交換ボタンが押下されていないと判定した場合（ステップＳ２０１，Ｎｏ）、従業員または遊技客によって操作部１３から遊技客が求める所定のレートの景品の選択操作を受け付ける（ステップＳ２０６）。さらに、従業員または遊技客によって選択された景品の景品個数の設定が行われる（ステップＳ２０７）。
【０１０８】
そして、景品交換部１５ｄは払出を行う景品の交換数に景品個数を乗じた値を所定のレートに対応するレート別情報１４ｂの集計値から減算し、残数の算出を行い（ステップＳ２０８）、景品交換情報登録部１５ｅは選択された景品の景品交換情報１４ｃを登録する（ステップＳ２０９）。
【０１０９】
つづいて、表示部１２は所定のレートに対応する明細画面を更新し（ステップＳ２１０）、ステップＳ２１１へ処理を移行する。
【０１１０】
ステップＳ２１１では、景品管理装置１０は景品払出ボタンが押下されたか否かを判定する。景品管理装置１０は景品払出ボタンが押下された場合、景品選択の処理が終了したと判定し（ステップＳ２１１，Ｙｅｓ）、選択された景品の払出を行い（ステップＳ２１２）、景品交換処理を終了する。
【０１１１】
一方、景品払出ボタンが押下されていないと判定した場合（ステップＳ２１１，Ｎｏ）、景品管理装置１０では、景品払出ボタンが押下されるまでステップＳ２０１〜ステップＳ２０５またはステップＳ２０１〜ステップＳ２１０までの処理を繰り返す。
【０１１２】
上述してきたように、本実施例では、レシート読取部１１がレシートに記載されている計数値情報を読取り、レート別情報集計部１５ｂが一つの取引で読取る複数のレシートに含まれる計数値の集計をレートごとに並行して行うこととした。
【０１１３】
また、レート別明細生成部１５ｃは一つの取引に対するレートごとの集計値を含むレート別明細画面を生成し、景品交換部１５ｄは並行して複数レートの計数値に対応する景品交換処理を行うこととした。
【０１１４】
したがって、本発明に係る景品管理装置および景品管理方法では、複数種類のレートの景品交換を行う場合であっても、迅速に景品交換処理を行うことができるとともに、従業員が行う景品交換の作業負荷を軽減することができる。
【０１１５】
なお、本発明請求項記載の景品管理装置は景品管理装置１０、計数値情報取得手段は計数値情報取得部１５ａ、レート別情報集計手段はレート別情報集計部１５ｂの一例として挙げられる。
【０１１６】
なお、上述した実施例では、景品交換処理は、一つの取引中にレート別の集計値に応じて全レートの特殊景品の景品個数を決定し、一般景品は所定のレートの景品交換明細から景品の選択を行うこととした。
【０１１７】
しかし、一つの取引中にレートごとに順次以下の処理を行うこととしてもよい。まず、景品管理装置が所定のレートの特殊景品の景品個数を決定し、遊技客が所定のレートの景品交換明細から一般景品の選択を行う。
【０１１８】
そして、たとえば、レートごとに設ける景品交換終了ボタンを従業員が押下することによって一つのレートの景品交換処理を確定させ、別のレートの景品交換処理を行う。ここで、景品交換処理が終了していない場合は、その旨をメッセージで表示したり、アイコンを点滅させたりすることによって、従業員および遊技客に報知することとしてもよい。そして、全てのレートの景品交換処理の確定が終了した時点で、従業員が景品払出ボタンを押下することによって、全レートに対応付けられた景品の払出を行うこととしてもよい。
【０１１９】
ここで、景品払出ボタンを押下する前であれば、景品交換処理を確定させたレートに対して、キャンセルまたは変更することができる。たとえば、４円レートの選択を全てやり直す場合は、従業員は表示部１２または操作部１３の「４円取消（全部）」ボタンを押下する。「４円取消（全部）」ボタンが押下された景品管理装置１０は、４円レートの景品選択を全て取り消す。
【０１２０】
そして、景品管理装置１０は、４円レートの明細画面を「処理中」であることを示す色に変更するとともに、選択内容を全て消去し、残数が総数と同数に変更する。その後、従業員または遊技客によって４円レートの景品の選択操作が改めて行われることとなる。
【０１２１】
また、４円レートの選択のうち一部の景品を変更する場合は、従業員は表示部１２または操作部１３の「４円取消（一部）」ボタンを押下する。「４円取消（一部）」ボタンが押下された景品管理装置１０は、４円レートの景品交換明細画面を「処理中」であることを示す色に変更する。
【０１２２】
そして、景品管理装置１０は、従業員によって表示部１２の変更する景品名が押下されると、押下された景品の選択を消去し、消去した景品の交換数に景品個数を乗じた値を残数に加算し、表示部１２に再表示する。その後、従業員または遊技客によって４円レートの景品の選択操作が改めて行われることとなる。このように、レートごとに順次景品交換および変更処理を行うことで、遊技客がいずれのレートの景品交換を行っているか等の交換状況を把握することができる。
【０１２３】
また、上述した実施例では、レシート読取部１１が計数値の関連付けられた複数枚のレシートのバーコードを読取り、計数値情報取得部１５ａが交換レートおよび計数値を取得することとした。
【０１２４】
しかし、近年では、遊技者が獲得した遊技媒体を遊技台ごとに計数し、計数した遊技媒体の計数値を、会員カードやビジターカード等（ＩＣカードや磁気カード）の記録媒体や携帯端末に関連付けることが行われるようになってきている。
【０１２５】
そこで、計数値が関連付けられた会員カード、ビジターカードおよび携帯端末の識別子を読取ることができる識別子読取部を景品管理装置に設け、景品管理装置は識別子読取部で読取った識別子に基づいて交換レートおよび計数値を取得することとしてもよい。
【０１２６】
これにより、計数機を設置するコストや、計数機によって遊技客が獲得した遊技媒体を計数した計数値および交換レートを記載するレシートの発行にかかるコストの大幅な削減を図ることができる。
【０１２７】
また、上述した実施例では、島端に設定される計数機からレシートが発行されるコーナーと、遊技台ごとに配置される計数機からビジターカード等が発行されるコーナーとが混在する営業形態であれば、景品管理装置が両方の読取手段（バーコードリーダと識別子読取部）を備え、それぞれの読取手段が読み取った結果をレート別に加算して処理できるようにしてもよい。
【０１２８】
また、上述した実施例では、景品管理装置で景品交換処理を行い、端数となった残数は切り捨てることとしたが、会員カード、ビジターカードおよび携帯端末等に残数を関連付けることとしてもよい。これにより、会員カード、ビジターカードおよび携帯端末等に関連付けられている残数によって、遊技客が再度遊技を行うことができる。
【０１２９】
また、上述した実施例では、レシートには、交換レートおよび計数値を計数値情報として記載されていることとしたが、計数機の号機および計数値を記載することとしてもよい。また、遊技台ごとに計数機が設置されるシステムにおいては、計数機自体の号機情報に代えて、隣接される遊技台の識別子（以下、「台番号」と記載する）および計数値を記載することとしてもよい。
【０１３０】
この場合、記憶部１４に号機情報または台番号と関連付けて交換レートを交換レート情報として記憶させておく。そして、レシート読取部１１経由で計数値情報取得部１５ａが台番号を取得した際に、台番号に基づいて交換レート情報を検索することによって交換レートを取得することとしてもよい。なお、交換レート情報は、記憶部１４に記憶させてもよいし、ＬＡＮ（Local  Area  Network）等のネットワーク経由で接続されている他の管理装置の記憶部に記憶させてもよい。
【０１３１】
また、上述した実施例では、レシートには、交換レートおよび計数値を計数値情報として記載されていることとしたが、レシート番号のみを記載し、レシート発行時にレシート番号に関連付けて交換レートおよび計数値を景品管理装置１０で管理することとしてもよい。これにより、景品交換時には、レシート番号のみを読取って交換レートと計数値を取得して交換処理を行うこととなる。
【０１３２】
また、上述した実施例では、貸出レートに基づいて区分けしたが、等価交換でない場合には、買取る際のレート（以下、「交換レート」と記載する）に基づいて区分けすることとしてもよい。たとえば、同じ４円で貸し出された遊技媒体であっても、遊技コーナーによって交換レートが４円（等価）および３．５円のように異なる場合には、交換レートに基づいて区分けしてもよい。
【０１３３】
また、上述した実施例では、図９の景品管理処理手順を示すフローチャートにおいて、ステップＳ１０３では、画面表示に着目したが、記憶部１４のレート別情報１４ｂに基づいて処理を行うこととしてもよい。
【０１３４】
たとえば、ステップＳ１０３に代わり、レート別情報集計部１５ｂは取得レートのレシートが既に読取られているか否かを判定し、取得レートのレシートが既に読取られている場合は、ステップＳ１０４へ処理を移行し、取得レートのレシートがまだ読取られていない場合は、ステップＳ１０６へ処理を移行することとしてもよい。
【０１３５】
また、上述した実施例では、表示部１２は複数のレート別の明細画面を分割して表示することとしたが、レート別に明細画面の背景を変えたり、レート別に明細画面の表示フォントを変えたりすることとしてもよい。さらに、景品交換処理を行っているレートの明細画面の背景や表示フォントを変えることとしてもよく、これにより、遊技客が容易に交換状況を把握することができる。
【０１３６】
また、上述した実施例では、遊技店の景品カウンタに設置される景品管理装置に適用する例を説明したが、遊技店内に設置される遊技客によって景品交換を行うセルフサービス型の景品管理端末（ＫＩＯＳＫ端末）にも同様に適用することができる。
【０１３７】
また、上述した実施例では、パチンコ遊技に適用する例を説明したが、パチスロ遊技を対象としてさらに含めた場合、または、パチスロ遊技のみを対象とした場合にも同様に適用することができる。
【産業上の利用可能性】
【０１３８】
以上のように、本発明に係る景品管理装置は、複数種類のレートの景品交換を行う場合であっても、迅速に景品交換処理を行い、従業員が行う景品交換の作業負荷を軽減したい場合に有用である。
【符号の説明】
【０１３９】
１０    景品管理装置
１１    レシート読取部
１２    表示部
１２ａ  店側表示部
１２ｂ  客側表示部
１３    操作部
１４    記憶部
１４ａ  計数値情報
１４ｂ  レート別情報
１４ｃ  景品交換情報
１５    制御部
１５ａ  計数値情報取得部
１５ｂ  レート別情報集計部
１５ｃ  レート別明細生成部
１５ｄ  景品交換部
１５ｅ  景品交換情報登録部
【図１】
0005576639.tif 000002
【図２】
0005576639.tif 000003
【図３】
0005576639.tif 000004
【図４】
0005576639.tif 000005
【図５】
0005576639.tif 000006
【図６】
0005576639.tif 000007
【図７】
0005576639.tif 000008
【図８】
0005576639.tif 000009
【図９】
0005576639.tif 000010
【図１０】
0005576639.tif 000011